(57)【要約】【課題】大きな負荷でダンパーが損傷・変形するのを確実に防止でき、ボイスコイルの強度、耐久性が増し、ボイスコイルの振動を振動部カバーに確実且つスムーズに伝達でき、構成簡素で、取扱い易く、耐久性に優れ、使い勝手が良い骨伝導スピーカーを提供する。【解決手段】ベース体Ａと、磁石Ｂと、磁石Ｂとベース体Ａとの間の円筒状溝空間内を振動可能となるボイスコイルＣと、ボイスコイルＣとベース体Ａとを連繋するダンパーＤとを備えたスピーカー本体を形成し、ベース体Ａをケース本体Ｇ内に固定し、スピーカー本体をケース本体Ｇに収容し、ボイスコイルＣの先端がわに補強リングＥを介して振動部カバーＦを固定し、振動部カバーＦは、その一部が開口部３０を介してケース本体Ｇ外に僅かに突出し、振動部カバーＦの一部がケース本体Ｇ外方に大きく突出しようとしたときに、振動部カバーＦの係止フランジ１６が開口部３０孔縁部分に係止するよう構成する。【選択図】        図３
2009290727.tif 000002
【特許請求の範囲】
【請求項１】
ヨークとなるベース体と、このベース体に固定される磁石と、磁石とベース体との間の円筒状溝空間に収容されると共に、円筒状溝空間内を振動可能となるよう形成されるボイスコイルと、ボイスコイルとベース体とを連繋するダンパーとを備えたスピーカー本体を形成し、前記ベース体を適宜ケース本体内に固定すると共に、スピーカー本体をケース本体に収容し、前記ボイスコイルの先端がわに補強リングを介して振動部カバーを固定し、この振動部カバーは、その一部がケース本体に設けた開口部を介してケース本体外に僅かに突出するように形成され、振動部カバーの一部がケース本体外方に大きく突出しようとしたときに、振動部カバーに設けた係止フランジがケース本体の開口部の孔縁部分に係止するように構成したことを特徴とする骨伝導スピーカー。
【請求項２】
略有底円筒状を呈する基部の開口がわ外周面にフランジ部を周設してなるベース体と、このベース体の基部内中央に固定される略円柱状の磁石と、磁石の外周面とベース体の基部の内周面との間の円筒状溝空間にその基端がわ部分が収容されると共に、円筒状溝空間内をその筒芯方向に振動可能となるよう形成されるボイスコイルと、その内周縁部分がボイスコイルの外周面に接着されると共に、その外周縁部分がベース体のフランジ部表面に接着されて、ボイスコイルが筒芯方向に振動自在となるように支持するダンパーとを備えたスピーカー本体を形成し、前記ベース体を適宜ケース本体内に固定すると共に、スピーカー本体をケース本体に収容し、前記ボイスコイルの先端がわに補強リングを固定すると共に、この補強リングに振動部カバーを固定し、この振動部カバーは、補強リングに固定される略リング状のカバー基体と、このカバー基体の基端がわ外周面に周設される係止フランジとからなり、カバー基体は、その一部がケース本体に設けた開口部を介してケース本体外に突出するように形成され、係止フランジは、ケース本体の開口部の孔縁部分に対して所定間隔を隔てた状態に配されると共に、カバー基体がケース本体外方に大きく突出しようとしたときに開口部の孔縁部分に係止するように構成したことを特徴とする骨伝導スピーカー。
【発明の詳細な説明】
【技術分野】
【０００１】
本発明は、例えば、身近にある適宜物品（例えば、ペットボトル、携帯電話本体、パソコン本体、段ボール箱、ヘルメット、フォトフレーム、ホワイトボード、車のダッシュボードやフロントガラス、その他）に、ボイスコイルを含む振動部が両面着シート等を介して取外し可能に接着せしめられて、音声信号等の入力によって振動するボイスコイルが、適宜物品に間接的に接着された状態となり、ボイスコイルの振動を適宜物品に伝達して、この適宜物品の振動で音を再生できるようにした骨伝導スピーカーに係り、特に、構成が簡素で、取扱い易く、耐久性に優れ、使い勝手が良く、効率良く音を再生できるように工夫した骨伝導スピーカーに関するものである。
【背景技術】
【０００２】
従来、この種の骨伝導スピーカーにあっては、種々のものが提案されており、例えば、特許文献１に開示されているような骨伝導スピーカーがある。
これは、上下方向へ開放され、内周側に一定幅の内部フライトを突設したケース本体と、前記ケース本体内における前記内部フライト下方の中心位置に配される鉄芯と、前記鉄芯の外側に配されるリング状のマグネットと、前記鉄芯と前記マグネットの間に位置されるボイスコイルと、前記ボイスコイルの上部に連結され、前記ボイスコイルに生じる振動信号が伝達される振動部材と、前記振動部材の下部と前記内部フライト又はその周辺部との間に介装されるコイルスプリングと、より構成したものである。
【０００３】
【特許文献１】特開２００８−５４０６３
【発明の開示】
【発明が解決しようとする課題】
【０００４】
ところが、前述の如き骨伝導スピーカーにあっては、振動部材はケース本体に対して振動板とコイルスプリングとで支えられるようになっているが、振動部材がケース本体から大きく突出しようとすると、振動板にかなりの負荷がかかるようになり、振動板が損傷したり変形したりする虞があった。また、振動部材自体がボイスコイルに比べて比較的大きく形成されていると共に比較的重く形成され、しかも、振動部材がコイルスプリングで支持されていることで、ボイスコイルに生じる振動信号に対する振動部材の反応が悪い等の問題点もあった。
【課題を解決するための手段】
【０００５】
そこで、本発明は、前述の如き難点や問題点等を解消すると共に、構成がより簡素で、取扱い易く、耐久性に優れ、使い勝手が良く、効率良く音を再生できる骨伝導スピーカーを提供できるようにすべく創出されたものである。
【０００６】
しかして、請求項１記載の骨伝導スピーカーにあっては、ヨークとなるベース体Ａと、このベース体Ａに固定される磁石Ｂと、磁石Ｂとベース体Ａとの間の円筒状溝空間に収容されると共に、円筒状溝空間内を振動可能となるよう形成されるボイスコイルＣと、ボイスコイルＣとベース体Ａとを連繋するダンパーＤとを備えたスピーカー本体を形成し、前記ベース体Ａを適宜ケース本体Ｇ内に固定すると共に、スピーカー本体をケース本体Ｇに収容し、前記ボイスコイルＣの先端がわに補強リングＥを介して振動部カバーＦを固定し、この振動部カバーＦは、その一部がケース本体Ｇに設けた開口部３０を介してケース本体Ｇ外に僅かに突出するように形成され、振動部カバーＦの一部がケース本体Ｇ外方に大きく突出しようとしたときに、振動部カバーＦに設けた係止フランジ１６がケース本体Ｇの開口部３０の孔縁部分に係止するように構成する手段を採用した。
【０００７】
また、請求項２記載の骨伝導スピーカーにあっては、略有底円筒状を呈する基部１の開口がわ外周面にフランジ部２を周設してなるベース体Ａと、このベース体Ａの基部１内中央に固定される略円柱状の磁石Ｂと、磁石Ｂの外周面とベース体Ａの基部１の内周面との間の円筒状溝空間にその基端がわ部分が収容されると共に、円筒状溝空間内をその筒芯方向に振動可能となるよう形成されるボイスコイルＣと、その内周縁部分がボイスコイルＣの外周面に接着されると共に、その外周縁部分がベース体Ａのフランジ部２表面に接着されて、ボイスコイルＣが筒芯方向に振動自在となるように支持するダンパーＤとを備えたスピーカー本体を形成し、前記ベース体Ａを適宜ケース本体Ｇ内に固定すると共に、スピーカー本体をケース本体Ｇに収容し、前記ボイスコイルＣの先端がわに補強リングＥを固定すると共に、この補強リングＥに振動部カバーＦを固定し、この振動部カバーＦは、補強リングＥに固定される略リング状のカバー基体１５と、このカバー基体１５の基端がわ外周面に周設される係止フランジ１６とからなり、カバー基体１５は、その一部がケース本体Ｇに設けた開口部３０を介してケース本体Ｇ外に突出するように形成され、係止フランジ１６は、ケース本体Ｇの開口部３０の孔縁部分に対して所定間隔を隔てた状態に配されると共に、カバー基体１５がケース本体Ｇ外方に大きく突出しようとしたときに開口部３０の孔縁部分に係止するように構成する手段を採用した。
【発明の効果】
【０００８】
従って、本発明の請求項１記載の骨伝導スピーカーによれば、振動部カバーＦは、その一部がケース本体Ｇに設けた開口部３０を介してケース本体Ｇ外に僅かに突出するように形成され、振動部カバーＦの一部がケース本体Ｇ外方に大きく突出しようとしたときに、振動部カバーＦに設けた係止フランジ１６がケース本体Ｇの開口部３０の孔縁部分に係止するように構成したので、例えば、振動部カバーＦの一部がケース本体Ｇ外方に大きく突出するような向きに大きな外力が加えられた場合でも、振動部カバーＦの係止フランジ１６がケース本体の開口部３０の孔縁部分に係止するため、それ以上の振動部カバーＦの移動を阻止できるようになる。すなわち、ダンパーＤに大きな負荷がかかって、ダンパーＤが損傷・変形するのを確実に防止できるようになる。ひいては、骨伝導スピーカー自体の耐久性が増すこととなる。
【０００９】
特に、振動部カバーＦの先端面を両面着シート２５を介して適宜物品に接着してある状態から、ケース本体Ｇを掴んで振動部カバーＦを適宜物品から剥離するようなときに、ダンパーＤに大きな負荷がかかることなく、振動部カバーＦを適宜物品から簡単に剥離できるようになる。
【００１０】
加えて、ボイスコイルＣの先端がわに補強リングＥを介して振動部カバーＦを固定したので、ボイスコイルＣ自体の強度、耐久性が増すようになると共に、ボイスコイルＣの振動を振動部カバーＦに確実且つスムーズに伝達できるようになる。
【００１１】
しかも、スピーカー本体をケース本体Ｇと振動部カバーＦで囲繞できるようになり、簡素な構成で、取扱い易く、使い勝手が良い骨伝導スピーカーとなる。
【００１２】
また、本発明の請求項２記載の骨伝導スピーカーによれば、振動部カバーＦは、補強リングＥに固定される略リング状のカバー基体１５と、このカバー基体１５の基端がわ外周面に周設される係止フランジ１６とからなり、カバー基体１５は、その一部がケース本体Ｇに設けた開口部３０を介してケース本体Ｇ外に突出するように形成され、係止フランジ１６は、ケース本体Ｇの開口部３０の孔縁部分に対して所定間隔を隔てた状態に配されると共に、カバー基体１５がケース本体Ｇ外方に大きく突出しようとしたときに開口部３０の孔縁部分に係止するように構成したので、例えば、振動部カバーＦ（カバー基体１５）の一部がケース本体Ｇ外方に大きく突出するような向きに大きな外力が加えられた場合でも、振動部カバーＦの係止フランジ１６がケース本体の開口部３０の孔縁部分に係止するため、それ以上の振動部カバーＦの移動を阻止できるようになる。すなわち、ダンパーＤに大きな負荷がかかって、ダンパーＤが損傷・変形するのを確実に防止できるようになる。ひいては、骨伝導スピーカー自体の耐久性が増すこととなる。
【００１３】
特に、振動部カバーＦ（カバー基体１５）の先端面を両面着シート２５を介して適宜物品に接着してある状態から、ケース本体Ｇを掴んで振動部カバーＦを適宜物品から剥離するようなときに、ダンパーＤに大きな負荷がかかることなく、振動部カバーＦを適宜物品から簡単に剥離できるようになる。
【００１４】
加えて、ボイスコイルＣの先端がわに補強リングＥを固定すると共に、この補強リングＥに振動部カバーＦを固定したので、ボイスコイルＣの先端がわ部分の強度、耐久性が増すようになると共に、ボイスコイルＣの先端がわ部分に補強リングＥを介して振動部カバーＦをより確実に且つ安定的に固定できるようになり、ボイスコイルＣの振動を振動部カバーＦに確実に且つスムーズに伝達できるようになる。
【００１５】
更に、ボイスコイルＣの先端がわに固定される補強リングＥがリング状に形成され、また、この補強リングＥに固定される振動部カバーＦのカバー基体１５が略リング状に形成されているので、補強リングＥ及び振動部カバーＦを比較的軽量且つコンパクトに構成できるようになり、ボイスコイルＣに生じる振動に対する振動部カバーＦの反応が良くなる。ひいては、ボイスコイルＣに入力される音声信号等がそれ程強くなくても、ボイスコイルＣ及び振動部カバーＦをスムーズに且つ軽快に能率良く振動させることができるようになる。
【００１６】
しかも、スピーカー本体をケース本体Ｇと振動部カバーＦで囲繞できるようになり、簡素な構成で、取扱い易く、使い勝手が良い骨伝導スピーカーとなる。
【発明を実施するための最良の形態】
【００１７】
以下、本発明を説明すると、次の通りである。
本発明の骨伝導スピーカーは、例えば、身近にある適宜物品（例えば、ペットボトル、携帯電話本体、パソコン本体、段ボール箱、ヘルメット、フォトフレーム、ホワイトボード、車のダッシュボードやフロントガラス、その他）に、ボイスコイルＣを含む振動部が両面着シート２５等を介して取外し可能に接着せしめられて、音声信号等の入力によって振動するボイスコイルＣが、適宜物品に間接的に接着された状態となるようにし、ボイスコイルＣの振動を適宜物品に伝達して、この適宜物品の振動で音を再生できるようにしたものである。
具体的には、ヨークとなるベース体Ａと、このベース体Ａに固定される磁石Ｂと、この磁石Ｂとベース体Ａとの間の円筒状溝空間に収容されると共に、円筒状溝空間内を振動可能となるよう形成されるボイスコイルＣと、ボイスコイルＣとベース体Ａとを連繋するダンパーＤとを備えたスピーカー本体を形成する。
そして、前記ベース体Ａを適宜ケース本体Ｇ内に固定すると共に、スピーカー本体をケース本体Ｇに収容する。
更に、前記ボイスコイルＣの先端がわに補強リングＥを介して振動部カバーＦを固定する。
また、振動部カバーＦは、その一部がケース本体Ｇに設けた開口部３０を介してケース本体Ｇ外に僅かに突出するように形成され、振動部カバーＦの一部がケース本体Ｇ外方に大きく突出しようとしたときに、振動部カバーＦに設けた係止フランジ１６がケース本体Ｇの開口部３０の孔縁部分に係止するように構成して、前記課題を達成できるようにしたものである。
【実施例】
【００１８】
そして、本発明の骨伝導スピーカーの具体例を図示例に基づいて説明すると、この骨伝導スピーカーは、略有底円筒状を呈する基部１の開口がわ外周面にフランジ部２を周設してなるベース体Ａと、このベース体Ａの基部１内中央に固定される略円柱状の磁石Ｂと、磁石Ｂの外周面とベース体Ａの基部１の内周面との間の円筒状溝空間にその基端がわ部分が収容されると共に、円筒状溝空間内をその筒芯方向に振動可能となるよう形成されるボイスコイルＣと、その内周縁部分がボイスコイルＣの外周面に接着されると共に、その外周縁部分がベース体Ａのフランジ部２表面に接着されて、ボイスコイルＣが筒芯方向に振動自在となるように支持するダンパーＤとを備えたスピーカー本体を形成する。
それから、前記ベース体Ａを適宜ケース本体Ｇ内に固定すると共に、スピーカー本体をケース本体Ｇに収容する。
更に、前記ボイスコイルＣの先端がわに補強リングＥを固定すると共に、この補強リングＥに振動部カバーＦを固定する。
しかも、振動部カバーＦは、補強リングＥに固定される略リング状のカバー基体１５と、このカバー基体１５の基端がわ外周面に周設される係止フランジ１６とからなり、カバー基体１５は、その一部がケース本体Ｇに設けた開口部３０を介してケース本体Ｇ外に突出するように形成され、係止フランジ１６は、ケース本体Ｇの開口部３０の孔縁部分に対して所定間隔を隔てた状態に配されると共に、カバー基体１５がケース本体Ｇ外方に大きく突出しようとしたときに開口部３０の孔縁部分に係止するように構成したものである。
【００１９】
前記ベース体Ａは、例えば、スピーカーに於けるヨークとなるもので、磁石Ｂの磁力を効率良く磁場に伝えられるように適宜金属材料（鉄等）によって形成されている。そして、略短有底円筒状を呈する基部１と、この基部１の開口がわ外周面に側方に張り出すように一体的に周設されるフランジ部２とからなっている。
尚、図中３は、フランジ部２の一部を更に側方に延長したような延設部で、この延設部３には、接続端子となる基板が固定され、この基板には、ボイスコイルＣの導線や、適宜音源から音声信号等を伝達するコードのリード線を接続できるように形成されている。
【００２０】
前記磁石Ｂは、例えば、永久磁石を略短円柱状に形成したもので、ベース体Ａの基部１内中央（基部１の底壁中央）に接着されている。そして、その外周面と基部１の周壁内周面との間には、略短円筒状の溝空間が形成できるようにしてある。
【００２１】
前記ボイスコイルＣは、例えば、略円筒状に形成され、しかも、その基端がわ部分が筒芯方向に振動自在となるように前記略短円筒状の溝空間に収まるように形成されている。
更に、ボイスコイルＣの内周面には、略円筒状の補強筒５が接着されており、ボイスコイルＣ自体の強度が高くなるように形成されている。
また、前記補強筒５は、例えば、かなり薄い適宜合成樹脂シート材を円筒状に形成したものが採用されている。
【００２２】
前記ダンパーＤは、例えば、可撓性を備えた適宜布材（或いは、複合材）等によって構成され、その内周縁部分がボイスコイルＣの外周面の筒芯方向略中央部分に接着され、その外周縁部分がベース体Ａのフランジ部２表面に接着されている。そして、ボイスコイルＣが筒芯方向に振動自在となるように支持できるよう構成されている。
【００２３】
前記補強リングＥは、例えば、適宜合成樹脂材によって構成され、略短円筒状の周壁部１０と、この周壁部１０の先端縁に一体的に連設される略円環状のフランジ部１１とからなり、周壁部１０がボイスコイルＣの先端がわ内周面に接着されて、ボイスコイルＣの先端部分の強度を増すように形成されている。しかも、フランジ部１１表面には、振動部カバーＦが接着されるようになる。すなわち、補強リングＥは、ボイスコイルＣの先端部分の強度を増すと共に、振動部カバーＦを安定的に且つ確実に固定できるように形成されている。加えて、補強リングＥは、その中央に大きな開口部分が設けてあり、軽量且つコンパクトとなるように構成されている。すなわち、ボイスコイルＣに生じる振動に対する振動部カバーＦの反応が良くなるように形成してある。
【００２４】
前記振動部カバーＦは、例えば、適宜合成樹脂材によって形成され、しかも、補強リングＥのフランジ部１１を囲むように接着される縦断面略溝形となるようなリング状のカバー基体１５と、このカバー基体１５の基端がわ外周面に側方に向って周設される略円環状の係止フランジ１６とからなるものである。
そして、カバー基体１５は、その一部（先端面がわ部分）がケース本体Ｇに設けた開口部３０を介してケース本体Ｇ外に僅かに突出するように形成され、係止フランジ１６は、ケース本体Ｇの開口部３０の孔縁部分に対して所定間隔を隔てた平行状態に配されると共に、カバー基体１５がケース本体Ｇ外方に大きく突出しようとしたときに開口部３０の孔縁部分に係止するように構成してある。
加えて、振動部カバーＦは、その中央に大きな開口部分が設けてあり、軽量且つコンパクトとなるように構成されている。すなわち、ボイスコイルＣに生じる振動に対する反応が良くなるように形成してある。
【００２５】
図中２０は、前記振動部カバーＦの係止フランジ１６表面（或いは、ケース本体Ｇの開口部３０孔縁内表面）に接着される略リング状の緩衝リングで、この緩衝リング２０は、適宜弾性材等によって構成されるもので、振動部カバーＦの係止フランジ１６表面とケース本体Ｇの開口部３０孔縁内表面との隙間間隔を調節すると共に、振動部カバーＦの係止フランジ１６とケース本体Ｇとが接触する際に、その緩衝材となるように設けられたものである。
【００２６】
前記ケース本体Ｇは、例えば、適宜合成樹脂材等によって形成される一対の半割ケースＧ１、Ｇ２によって構成され、このケース本体Ｇ内にスピーカー本体を収容できるように構成されている。更に、一方の半割ケースＧ１には、ベース体Ａが接着され、他方の半割ケースＧ２には、前記振動部カバーＦのカバー基体１５より稍大径となる開口部３０が穿設されている。
【００２７】
ところで、本発明の骨伝道スピーカーは、例えば、ボイスコイルＣと補強リングＥと振動部カバーＦとでその振動部が構成され、ベース体Ａと磁石ＢとボイスコイルＣとダンパーＤと補強リングＥとでそのスピーカー本体が構成されている。
【００２８】
両面着シート２５は、振動部カバーＦのカバー基体１５の先端表面に接着されると共に、この振動部カバーＦのカバー基体１５を、身近にある適宜物品（例えば、ペットボトル、携帯電話本体、パソコン本体、段ボール箱、ヘルメット、フォトフレーム、ホワイトボード、車のダッシュボードやフロントガラス、その他）に、取外し可能に接着できるようにしたものである。
そして、音声信号等の入力によって振動するボイスコイルＣが、その振動を振動部カバーＦを介して適宜物品（振動体２６）に伝達して、適宜物品（振動体２６）の振動で音を再生できるようになる。
尚、両面着シート２５は、繰り返して剥離、接着可能となるような適宜粘着層で構成しても良い。しかも、この場合は、人体に接着して使用することもできるようになる。
【００２９】
ところで、骨伝導スピーカーの具体的構成、形状、寸法、材質、スピーカー本体の具体的、振動部の具体的構成、構成ベース体Ａの具体的構成、形状、寸法、材質、基部１の具体的構成、形状、寸法、フランジ部２の具体的構成、形状、寸法、配設位置、延設部３の具体的構成、形状、寸法、配設位置、磁石Ｂの具体的構成、形状、寸法、材質、配設位置、ボイスコイルＣの具体的構成、形状、寸法、材質、配設位置、補強筒５の具体的構成、形状、寸法、材質、配設位置、ダンパーＤの具体的構成、形状、寸法、材質、配設位置、補強リングＥの具体的構成、形状、寸法、材質、配設位置、周壁部１０の具体的構成、形状、寸法、フランジ部１１の具体的構成、形状、寸法、配設位置、振動部カバーＦの具体的構成、形状、寸法、材質、カバー基体１５の具体的構成、形状、寸法、係止フランジ１６の具体的構成、形状、寸法、配設位置、緩衝リング２０の具体的構成、形状、寸法、材質、配設位置、両面着シート２５の具体的構成、形状、寸法、材質、配設位置、振動体２６の具体的構成、形状、寸法、材質、ケース本体Ｇの具体的構成、形状、寸法、材質、半割ケースＧ１、Ｇ２の具体的構成、形状、寸法、材質、開口部３０の具体的構成、形状、寸法、配設位置等は、図示例のもの等に限定されることなく適宜自由に設定、変更できるものである。
【図面の簡単な説明】
【００３０】
【図１】本発明の骨伝導スピーカーを例示する一部切欠分解斜視図である。
【図２】本発明の骨伝導スピーカーを例示する斜視図である。
【図３】本発明の骨伝導スピーカーを例示する縦断面図である。
【図４】本発明の骨伝導スピーカーの使用例を示す側面図である。
【符号の説明】
【００３１】
Ａ      ベース体
１      基部
２      フランジ部
３      延設部
Ｂ      磁石
Ｃ      ボイスコイルＣ
５      補強筒
Ｄ      ダンパー
Ｅ      補強リング
１０    周壁部
１１    フランジ部
Ｆ      振動部カバー
１５    カバー基体
１６    係止フランジ
２０    緩衝リング
２５    両面着シート
２６    振動体
Ｇ      ケース本体
Ｇ１    半割ケース
Ｇ２    半割ケース
３０    開口部
【図１】
2009290727.tif 000003
【図２】
2009290727.tif 000004
【図３】
2009290727.tif 000005
【図４】
2009290727.tif 000006